(57)【要約】【課題】ガスメータにおけるガス器具の登録をガス器具側からの登録開始の指示を行なうことのできるガスシステムの提供を目的とする。【解決手段】ガス器具１３は、ガスメータ１に器具登録の開始を指示するため予め定められた登録開始流量パターンでガスを消費する登録開始パターン制御部１４を備え、ガスメータ１は、ガス流量の変化を計測する流量計測部２と、流量計測部２で計測されるガス流量の変化からガス器具１３からの登録開始流量パターンを認識する認識部９と、認識部９で登録開始流量パターンが認識された場合、登録開始流量パターン以降に流量計測部２で計測されたガス流量の変化をガス器具流量パターンとして登録する登録部１０を備え、登録開始パターンを認識した時のみ、その後に検出するガス流量の変化を器具登録のためのガス器具流量パターンとして登録部１０に登録する。【選択図】図３
2011149884.tif 000002
【特許請求の範囲】
【請求項１】
ガスメータと、前記ガスメータの下流に接続されたガス器具とからなり、前記ガス器具は、前記ガスメータに器具登録の開始を指示するため予め定められた登録開始流量パターンでガスを消費する登録開始パターン制御部を備え、前記ガスメータは、ガス流量の変化を計測する流量計測部と、前記流量計測部で計測されるガス流量の変化から前記ガス器具からの登録開始流量パターンを認識する認識部と、前記認識部で登録開始流量パターンが認識された場合、前記登録開始流量パターン以降に前記流量計測部で計測されたガス流量の変化をガス器具流量パターンとして登録する登録部を備えたガスシステム。
【発明の詳細な説明】
【技術分野】
【０００１】
本発明は、家庭で使用されるガス器具およびこのガス器具を登録することが可能なガスメータからなるガスシステムに関するものである。
【背景技術】
【０００２】
従来、この種のガスシステムは、メータに接続されたガス器具を判別することでガス器具に対応したガス料金設定や、保安機能の充実を可能とするもので、このようなガスシステムを可能とするガスメータとして、流量計測手段と、流量計測手段が計測する流量から流量パターンを記憶する器具情報記憶手段、流量パターンを記憶する器具情報記憶手段が動作する時刻を設定する登録開始時刻指定手段、登録終了時刻指定手段から構成されたものがある（例えば、特許文献１参照）。
【先行技術文献】
【特許文献】
【０００３】
【特許文献１】特開２００８−２７５４１７号公報
【発明の概要】
【発明が解決しようとする課題】
【０００４】
しかしながら、前記従来の構成では、ガスメータへのガス器具登録手段として、ガス器具を登録するための状態か通常にガスを使用している状態かを切り分けする必要があるために、ガス器具の登録を行なう器具情報記憶手段の動作開始、登録開始を設定する登録開始時刻指定手段と、登録を終了する登録終了時刻指定手段の動作をガスメータで行なう必要があり、登録は指定された時刻内に行う必要があるという課題を有していた。
【０００５】
本発明は、前記従来の課題を解決するもので、ガスメータでガス器具の登録を行なうために、ガスメータの設定をガスメータ側で行なう必要がなく、ガス器具側からの登録開始の指示を行なうことのできるガスシステムの提供を目的とする。
【課題を解決するための手段】
【０００６】
前記従来の課題を解決するために、本発明のガスシステムは、ガスメータと、前記ガスメータの下流に接続されたガス器具とからなり、前記ガス器具は、前記ガスメータに器具登録の開始を指示するため予め定められた登録開始流量パターンでガスを消費する登録開始パターン制御部を備え、前記ガスメータは、ガス流量の変化を計測する流量計測部と、前記流量計測部で計測されるガス流量の変化から前記ガス器具からの登録開始流量パターンを認識する認識部と、前記認識部で登録開始流量パターンが認識された場合、前記登録開始流量パターン以降に前記流量計測部で計測されたガス流量の変化をガス器具流量パターンとして登録する登録部を備えたもので、これにより、ガス器具の登録が容易となり、使用されているガス器具の判別が可能となる。
【発明の効果】
【０００７】
本発明のガス器具およびガスメータは、登録の対象となるガス器具を登録開始流量パターンと、それに続く器具流量パターンで制御することでユーザーがガスメータの操作を行なうことなくガス器具の登録をすることができる。
【図面の簡単な説明】
【０００８】
【図１】本発明の実施の形態１におけるガス器具およびガスメータのシステム構成図
【図２】本発明の実施の形態１における流量計測部構成図
【図３】本発明の実施の形態１におけるガス器具およびガスメータの機能ブロック図
【図４】本発明の実施の形態１におけるファンヒータ動作時におけるガス流量の時間特性をグラフ
【図５】本発明の実施の形態１におけるガスオーブン動作時におけるガス流量の時間特性を示すグラフ
【発明を実施するための形態】
【０００９】
第１の発明は、ガスメータと、前記ガスメータの下流に接続されたガス器具とからなり、前記ガス器具は、前記ガスメータに器具登録の開始を指示するため予め定められた登録開始流量パターンでガスを消費する登録開始パターン制御部を備え、前記ガスメータは、ガス流量の変化を計測する流量計測部と、前記流量計測部で計測されるガス流量の変化から前記ガス器具からの登録開始流量パターンを認識する認識部と、前記認識部で登録開始流量パターンが認識された場合、前記登録開始流量パターン以降に前記流量計測部で計測されたガス流量の変化をガス器具流量パターンとして登録する登録部を備えたもので、ガスの流量変化を検知した時に、ガス器具からの登録開始流量パターンを認識部で認識していなければ、通常のガス使用としてガスの流量計測を行い、ガス器具からの登録開始流量パターンを認識部で認識した時は、その後に生じるガスの流量変化がガス器具の登録を行なうためのガス器具流量パターンであるとして登録部に登録し、その後の流量計測時に登録されたガス器具であるかを判別することができる。
【００１０】
以下、本発明の実施の形態について図面を参照して説明する。なお、この実施の形態において本発明が限定されるものではない。
【００１１】
（実施の形態１）
図１は、本発明での第１の実施の形態におけるガス器具およびガスメータから成るガスシステム構成図、図２は、同流量計測部構成図である。
【００１２】
図において、ガスメータ１には、ガス器具Ａ、Ｂ、Ｃ（例えば、ガステーブル、ファンヒータ、ストーブ、ガスオーブン）に対してガス供給を行なうための計測流路８が接続されている。この計測流路８には、主に異常時に計測流路自身を遮断するためのガス遮断弁４と、計測流路８に流れるガス流量を検出する流量計測部２が配置されている。
【００１３】
また、ガスメータ１の内部には、ガス遮断弁４を駆動する為の駆動回路５及び流量計測部２の出力を入力するとともに、駆動回路５を制御する制御部３が設けられている。
【００１４】
ここで、流量計測部２の動作について図２を用いて説明する。図２において、計測流路８は矩形断面を持っており、計測流路８のガスの流れる方向と直角方向にある壁面には計測流路を挟んで一対の超音波センサ６、７が流路の上流側と下流側で角度θを有して斜めに対向して装着されている。超音波センサ６、７間で交互に超音波を送受信させて流体の流れに対して順方向と逆方向の超音波の伝搬時間の差を一定間隔おいて計り、伝搬時間差信号として出力する働きを持つ。この伝搬時間差信号を受けて計測手段（図示せず）により、被計測流体の流速及び流量を算出する。式１は、流速の算出式であり、図２において、Ｌは測定距離であり、ｔ１を上流からの伝搬時間、ｔ２を下流からの伝搬時間、Ｃを音速とおくと、流速Ｖは
Ｖ＝（Ｌ／２ｃｏｓθ）×（（１／ｔ１）−（１／ｔ２）・・・（式１）
となる。
【００１５】
本発明の形態における計測の時間間隔は超音波の送受信が可能な範囲で設定できるが、本発明では２秒間隔で計測を行っている。時間間隔を更に小さくすることも可能であり、ガス器具によっては２秒よりも短い間隔で起動するガス器具もあるため、器具判別を行な
う点では有利となるが、計測間隔を短くすると電池の消耗が大きくなる等の課題がある。
【００１６】
また、計測時間について、膜式方式を利用したガスメータであると、計測間隔が数秒間隔になり、流量変化の差分を見て判断することが困難になるため、コスト、器具登録、器具判別の性能面からバランスの良い時間として本発明では２秒間隔計測で行なっている。
【００１７】
図３は、実施の形態１におけるガス器具およびガスメータの機能を示す機能ブロック図である。図３で示すように、本実施の形態のガス器具１３およびガスメータ１は、先ずガス流量を計測する流量計測部２と本発明に関わる器具登録を行なうための認識部９、及び、登録部１０とを備えている。更に、ガスメータ１は、流量計測部２で計測した流量変化と、登録部にて登録されているガス器具流量パターンが同じものであるかを判断し、使用しているガス器具の判別を行なう判別部１１を備えている。
【００１８】
ここで、認識部９は、流量計測部２で計測された流量パターンが登録開始流量パターンであるかどうかを認識する。この登録開始流量パターンを認識するための判別値は予め制御部３に登録されているものとする。例えば、ガス器具使用時のガスの流量変化は、ガス器具によって異なるため、この登録開始流量パターンは、ガスの流量の有無による流量パターン（流量値と時間の組み合わせ）によって認識されるものとする。
【００１９】
また、登録開始パターン制御部１４は、ガス器具の登録を必要とする際に、登録開始流量パターンによるガス消費の制御を行い、流量パターン制御部１５は、ガス器具として必要な通常のガス消費の流量パターン、即ち、器具流量パターンでガス流量を制御する。
【００２０】
認識部９により、登録開始流量パターンでガス器具１３が制御されたことを認識したときのみ、登録部１０は、その後に生じるガス流量の変化をガス器具１３の器具流量パターンとして登録する。登録開始から登録までの時間、登録開始から登録終了までの時間はユーザーがスイッチ等（図示せず）で指定できるようにしている。
【００２１】
更に、ガスメータ１は、流量計測部２において計測したガス流量が予め定めた閾値から外れた場合にガスを遮断し、その後、復帰信号が入力されるとガス遮断を解除する遮断部１２を備える。
【００２２】
次に、図４、５にガス器具を動作させた時の流量計測部２が計測するガス流量の時間特性の一例を示す。図４はファンヒータを動作させた時の時間特性である。図４から分かるように、起動直後はホットダッシュ機能によってある一定のガス流量が流れ、その後外気温と動作設定によってガス流量（時間特性）が変化する。
【００２３】
図５は、ガスオーブンを動作させた時の時間特性である。図５から分かるように起動してある一定時間経過後にはＯＮ・ＯＦＦを繰り返しながら動作していることが分かる。
【００２４】
以上、図４、５から分かるようにガス器具によって着火後のガス流量の時間特性のパターンが異なる。このパターンをガス器具流量パターンとして、登録部１０に登録する。
【００２５】
器具登録が完了した後、判別部１１は、ガス器具が使用された時の流量変化から、登録部１０に登録された器具流量パターンであるかを判別することができる。複数のガス器具を使用中でも、ガス器具ごとに流量パターンが異なるため器具の判別が可能である。
【００２６】
なお、ガス器具登録の為の登録開始流量パターンでの制御は、スイッチ（図示せず）操作により行うことでいつでも行う事ができる。更に、ガス器具の電源投入時のみに登録開始流量パターンでの制御を行うように構成すれば、自動的に登録を行うことができる。
【産業上の利用可能性】
【００２７】
以上のように、本発明にかかる器具登録機能を有するガス器具およびガスメータは、ガス器具のガスメータへの登録をガス器具からガス流量の変化を媒体にして行うことができ、器具判別のための作業の効率化を図る手段として活用することができる。
【符号の説明】
【００２８】
１  ガスメータ
２  流量計測部
３  制御部
４  ガス遮断弁
５  駆動回路
６、７  超音波センサ
８  計測流路
９  認識部
１０  登録部
１１  判別部
１２  遮断部
１３  ガス器具
１４  登録開始パターン制御部
１５  流量パターン制御部
【図１】
2011149884.tif 000003
【図２】
2011149884.tif 000004
【図３】
2011149884.tif 000005
【図４】
2011149884.tif 000006
【図５】
2011149884.tif 000007